(57)【特許請求の範囲】
【請求項１】
複数の物品と市場価格とが登録されているデータベースと、
物品交換用に登録された物品である登録物品の市場価格を、複数のＷＥＢコンテンツから収集し、当該収集した市場価格に基づいて、前記物品の所有者による価格設定を要することなく算出する市場価格算出手段と、
前記市場価格算出手段によって算出された登録物品の市場価格との差分が所定の閾値以下の市場価格を有する物品を、前記データベースから検索する検索手段と、
前記登録物品と、前記検索手段によって検索された物品である検索物品と、を関連つけて表示する表示手段と、
前記登録物品の登録者から、当該登録物品と交換したい検索物品の選択を受け付ける物品選択手段と、
前記物品選択手段によって選択された検索物品の所有者に、前記登録物品との交換要求を通知する交換通知手段と、
を備えることを特徴とする物々交換支援システム。
【請求項２】
前記表示手段は、前記登録物品の市場価格と、前記検索物品の市場価格と、を関連付けて表示する
ことを特徴とする請求項１に記載の物々交換支援システム。
【請求項３】
前記データベースには、各物品のカテゴリが登録されており、
前記表示手段に表示させる選択物品のカテゴリの選択を受け付ける表示選択手段、
をさらに備えることを特徴とする請求項１に記載の物々交換支援システム。
【請求項４】
前記交換要求された検索物品の市場価格と、前記登録物品の市場価格との差分が所定の閾値以上の場合に、当該差分を金銭又はポイントで補填可能とする補填手段
をさらに備えることを特徴とする請求項１に記載の物々交換支援システム。
【請求項５】
物々交換支援システムが実行する物々交換支援方法であって、
複数の物品の市場価格をデータベースに登録する登録ステップと、
物々交換用に登録された物品である登録物品の市場価格を、複数のＷＥＢコンテンツから収集し、当該収集した市場価格に基づいて、前記物品の所有者による価格設定を要することなく算出する市場価格算出ステップと、
前記市場価格算出ステップによって算出された登録物品の市場価格との差分が所定の閾値以下の市場価格を有する物品を、前記データベースから検索する検索ステップと、
前記登録物品と、前記検索ステップによって検索された物品である検索物品と、を関連付けて表示する表示ステップと、
前記登録物品の登録者から、当該登録物品と交換したい検索物品の選択を受け付ける物品選択ステップと、
前記物品選択ステップによって選択された検索物品の所有者に、前記登録物品との交換要求を通知する交換通知ステップと、
を有することを特徴とする物々交換支援方法。
【請求項６】
物々交換支援システムに、
複数の物品の市場価格をデータベースに登録する登録ステップ、
物々交換用に登録された物品である登録物品の市場価格を、複数のＷＥＢコンテンツから収集し、当該収集した市場価格に基づいて、前記物品の所有者による価格設定を要することなく算出する市場価格算出ステップ、
前記市場価格算出ステップによって算出された登録物品の市場価格との差分が所定の閾値以下の市場価格を有する物品を、前記データベースから検索する検索ステップ、
前記登録物品と、前記検索ステップによって検索された物品である検索物品と、を関連付けて表示する表示ステップ、
前記登録物品の登録者から、当該登録物品と交換したい検索物品の選択を受け付ける物品選択ステップ、
前記物品選択ステップによって選択された検索物品の所有者に、前記登録物品との交換要求を通知する交換通知ステップ、
を実行させるためのコンピュータ読み取り可能なプログラム。
【発明の詳細な説明】
【技術分野】
【０００１】
本発明は、計算機システムに関し、特に、物品の交換支援の技術に関する。
【背景技術】
【０００２】
従来、インターネットを介して物々交換の取引を仲介する情報処理装置が知られている。特許文献１には、次の情報処理装置が開示されている。サーバが、物品の物品識別情報と、当該物品を所有するユーザのユーザ識別情報と、当該物品の交換の可否を示す状態情報と、を対応付けて記憶手段に記憶し、ユーザ端末から物々交換の依頼を受信し、物々交換の依頼の受信に応じて、交換先の物品を所有するユーザのユーザ端末に物品の交換を問い合わせ、ユーザ端末からの交換の承諾情報を受信する。サーバは、交換の承諾情報の受信に応じて、当該物々交換が成立した物品に対応する、記憶されたユーザ識別情報を交換後のユーザのユーザ識別情報に設定し、交換後のユーザ識別情報の設定に応じて、交換後の物品の記憶された状態情報を交換可能に設定する。
【先行技術文献】
【特許文献】
【０００３】
【特許文献１】特開２０１５−１１８６７３号公報
【発明の概要】
【発明が解決しようとする課題】
【０００４】
従来の物々交換支援システムでは、各々の物品の登録者が交換を希望する物品の目利きをして物々交換をする為、市場価格が等価交換ではない物々交換が発生してしまうことがあった。
【０００５】
そこで、本発明の目的は、物々交換する物品の市場価格を自動的に算出し、物品と市場価格とを関連付けて表示することで、市場価格が等価交換に近い形での物々交換が出来るシステムを提供することにある。
【課題を解決するための手段】
【０００６】
本発明の一実施形態に係る物々交換支援システムは、
複数の物品と市場価格とが登録されているデータベースと、
物品交換用に登録された物品である登録物品の市場価格を、複数のＷＥＢコンテンツから収集し、当該収集した市場価格に基づいて、前記物品の所有者による価格設定を要することなく算出する市場価格算出手段と、
前記市場価格算出手段によって算出された登録物品の市場価格との差分が所定の閾値以下の市場価格を有する物品を、前記データベースから検索する検索手段と、
登録物品と、前記検索手段によって検索された物品である検索物品と、を関連つけて表示する表示手段と、
登録物品の登録者から、当該登録物品と交換したい検索物品の選択を受け付ける物品選択手段と、
物品選択手段によって選択された検索物品の所有者に、登録物品との交換要求を通知する交換通知手段と、
を備えることを特徴とする。
【０００７】
当該物々交換支援システムは、登録者に、登録物品の市場価格を、複数のＷＥＢコンテンツから収集し、当該収集した市場価格に基づいて、物品の所有者による価格設定を要することなく算出し、算出された登録物品の市場価格との差分が所定の閾値以下の市場価格を有する登録物品と交換したい物品を検索させることができる。また、当該物々交換支援システムは、登録者が登録物品と交換したい検索物品の所有者に、登録物品との交換要求を通知することができる。
【０００８】
表示手段は、登録物品の市場価格と、検索物品の市場価格と、を関連付けて表示してもよい。
【０００９】
データベースには、各物品のカテゴリが登録されており、物々交換支援システムは、表示手段に表示させる選択物品のカテゴリの選択を受け付ける表示選択手段、をさらに備えてもよい。
【００１２】
物々交換支援システムは、交換要求された検索物品の市場価格と、登録物品の市場価格との差分が所定の閾値以上の場合に、当該差分を金銭又はポイントで補填可能とする補填手段、をさらに備えてもよい。
【発明の効果】
【００１３】
本発明によれば、物々交換する物品の市場価格を自動的に算出し、物品と市場価格とを関連付けて表示することで、市場価格が等価交換に近い形での物々交換が可能となる。
【図面の簡単な説明】
【００１４】
【図１】物々交換支援システムを含む全体の構成の概要を示す。
【図２】物々交換支援システムの構成の一例を示す。
【図３】データベースの構成の一例を示す。
【図４】物々交換支援システムの表示手段が生成するＧＵＩの一例を示す。
【図５】物々交換支援システムにおける処理の一例を示すフローチャートである。
【発明を実施するための形態】
【００１５】
以下、本発明の実施形態について、図面を参照しながら説明する。なお、これはあくまでも一例であって、本発明の技術的範囲はこれに限られるものではない。
【００１６】
図１は、本実施形態に係る物々交換支援システム１０を含む全体の構成の概要を示す。
【００１７】
物々交換支援システム１０は、当該システムの利用者の間での物品の交換を支援するための計算機システムである。物々交換支援システム１０及び複数のユーザ端末１２は、インターネット等の通信ネットワーク１８を介して、双方向に通信可能に接続されている。
【００１８】
また、物々交換支援システム１０は、通信ネットワーク１８を介して、様々なＷＥＢコンテンツ１６にアクセス可能である。
【００１９】
ユーザ端末１２は、物々交換支援システム１０の利用者の端末である。ユーザ端末１２の例は、ＰＣ、携帯電話、スマートフォン、タブレット端末等である。
【００２０】
図２は、物々交換支援システム１０の構成の一例を示す。
【００２１】
物々交換支援システム１０は、物理デバイスとして、ＣＰＵ（Ｃｅｎｔｒａｌ  Ｐｒｏｃｅｓｓｉｎｇ  Ｕｎｉｔ）３０、メモリ３２、ＮＩＣ（Ｎｅｔｗｏｒｋ  Ｉｎｔｅｒｆａｃｅ  Ｃａｒｄ）３４、記憶ドライブ３６を有してよい。これらの構成要素は、内部バス３８で接続されてよい。
【００２２】
メモリ３２は、データを記憶可能なデバイスである。メモリ３２には、物々交換支援システム１０の機能を実現するためのプログラムやデータ等が格納されてよい。メモリ３２の例は、ＤＲＡＭ（Ｄｙｎａｍｉｃ  Ｒａｎｄｏｍ  Ａｃｃｅｓｓ  Ｍｅｍｏｒｙ）である。
【００２３】
ＣＰＵ３０は、論理演算可能なデバイスである。ＣＰＵ３０は、メモリ３２から読み出したプログラムを実行することにより、物々交換支援システム１０の機能を実現してよい。
【００２４】
ＮＩＣ３４は、物々交換支援システム１０をネットワーク１８に接続するためのＩ／Ｆデバイスである。ＮＩＣ３４の例は、Ｅｔｈｅｒｎｅｔ（登録商標）カードである。
【００２５】
記憶ドライブ３６は、大量のデータを記憶可能なデバイスである。記憶ドライブ３６の例は、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）等である。
【００２６】
物々交換支援システム１０は、情報として、データベース１００を有してよい。データベース１００は、記憶ドライブ３６及び／又はメモリ３２に保持されてよい。次に、データベース１００について説明する。
【００２７】
図３は、データベース１００の構成の一例を示す。
【００２８】
データベース１００は、各ユーザが物々交換用に登録した物品を管理する。データベース１００は、フィールド値として、ユーザＩＤ１０２、物品ＩＤ１０４、カテゴリＩＤ１０６、市場価格１０８を有してよい。
【００２９】
ユーザＩＤ１０２は、ユーザ１２の識別子である。ユーザＩＤ１０２は、ユーザ１２の氏名、電話番号、ログインＩＤ等であってもよい。
【００３０】
物品ＩＤ１０４は、ユーザＩＤ１０２のユーザ１２が所有する物々交換用の物品（つまり、ユーザＩＤ１０２のユーザ１２の登録物品）の識別子である。物品ＩＤ１０４は、物品名、物品品番等であってもよい。
【００３１】
カテゴリＩＤ１０６は、物品ＩＤ１０４の物品のカテゴリを示す識別子である。カテゴリＩＤ１０６は、物品のカテゴリ名、ジャンル名等であってもよい。
【００３２】
市場価格１０８は、物品ＩＤ１０４の物品の市場における価格である。市場価格１０８は、後述するように、インターネット上の様々なＷＥＢコンテンツ１６から収集した価格に基づいて算出されてよい。
【００３３】
図４のデータベース１００の例において、ユーザＩＤ１０２「Ａ」に係るレコードは、ユーザＡ（１０２）の登録物品（１０４）が「腕時計Ｘ」であり、その腕時計Ｘのカテゴリ（１０６）が「腕時計」であり、その腕時計Ｘの市場価格（１０８）が「１００００」であることを示す。同様に、ユーザＩＤ１０２「Ｃ」に係るレコードは、ユーザＣ（１０２）の登録物品（１０４）が「バイオリンＺ」であり、そのバイオリンＺのカテゴリ（１０６）が「楽器」であり、そのバイオリンＺの市場価格（１０８）が「１０２００」であることを示す。
【００３４】
図２の説明に戻る。
【００３５】
物々交換支援システム１０は、機能として、登録受付手段２００、市場価格算出手段２０２、検索手段２０４、表示手段２０６、表示方法選択手段２０８、物品選択手段２１０、交換通知手段２１２、補填手段２１４を有してよい。これらの機能は、記憶ドライブ３６及び／又はメモリ３２に保持されているプログラムを、ＣＰＵ３０が実行することにより実現されてよい。
【００３６】
登録受付手段２００は、ユーザ（登録者）端末１２から、物々交換用の物品の登録を要求する登録要求を受け付ける。この登録要求された物品を「登録物品」という。登録要求には、登録者に関する情報（ユーザ名等）、及び、登録物品に係る情報（物品名、カテゴリ名等）が含まれてよい。登録受付手段２００は、登録要求に含まれる情報を１レコードとして、データベース１００に登録してよい。
【００３７】
市場価格算出手段２０２は、登録物品の市場価格を算出する。市場価格算出手段２０２は、インターネット上の様々なＷＥＢコンテンツ１６から価格を収集し、その収集した価格に基づいて、登録物品の市場価格を算出してよい。この市場価格は、収集した価格の平均値であっても良いし、収集した価格の最安値又は最高値であっても良いし、それ以外であってもよい。ＷＥＢコンテンツ１６の例は、ＥＣサイト、価格比較サイト、オークションサイト、農業協同組合のサイト、漁協共同組合のサイト等である。市場価格算出手段２０２は、登録物品のカテゴリに応じたＷＥＢコンテンツ１６を選択して登録物品の市場価格を算出してもよい。
【００３８】
検索手段２０４は、データベース１００から、市場価格算出手段２０２によって算出された登録物品の市場価格と適合する（比較的近い）市場価格を有する物品を検索する。例えば、検索手段２０４は、データベース１００から、登録物品の市場価格との差分が所定の閾値以下の市場価格を有する物品を検索してよい。この閾値は、システム側が予め定義しても良いし、登録者が任意に設定できてもよい。本実施形態において、検索手段２０４によって検索された物品を「検索物品」と呼ぶことがある。
【００３９】
表示手段２０６は、登録物品と検索物品とを関連付けて表示してもよい。表示手段２０６は、図４の例のように、登録物品の市場価格と、検索物品の市場価格とを関連付けて表示してもよい。表示手段２０６は、複数の検索物品をカテゴリ別に整理して表示してもよいし、登録者が指定したカテゴリに属する検索物品のみを表示してもよい。
【００４０】
表示方法選択手段２０８は、表示手段２０６における検索物品の表示方法の選択を受け付ける。選択可能な表示方法の例は、カテゴリ別の表示、物品の名称順の表示、市場価格の高い（又は低い）順の表示等である。
【００４１】
物品選択手段２１０は、登録者から、登録物品と交換したい検索物品の選択を受け付ける。登録者によって選択された検索物品を「選択物品」と呼ぶことがある。物品選択手段２１０は、図４の例のように、表示された検索物品の中から少なくとも１つを選択するためのＧＵＩであってもよい。
【００４２】
補填手段２１４は、登録物品の市場価格と、選択物品の市場価格との間の差分の補填を受け付ける。例えば、選択物品の市場価格が登録物品の市場価格よりも高い場合、補填手段２１４は、登録者から、その差分を補填する分の金銭又はポイント等を受け付けてよい。
【００４３】
交換通知手段２１２は、選択物品の所有者へ、交換要求を通知する。交換要求には、登録者に関する情報（ユーザ名等）、登録物品に関する情報（物品名、カテゴリ名及び市場価格等）、及び、必要に応じて補填に関する情報（補填用の金銭又はポイント等）が含まれてよい。
【００４４】
図４は、物々交換支援システム１０の表示手段２０６が生成するＧＵＩの一例を示す。
【００４５】
図４のＧＵＩ３００は、登録者が、登録物品「腕時計Ｘ」を物々交換する場合の例である。ＧＵＩ３００は、物々交換支援システム１０のＷＥＢサーバで生成されて、ユーザ端末１２のＷＥＢブラウザに表示されたものであってもよいし、ユーザ端末１２で実行する所定のアプリケーションが生成及び表示したものであってもよい。
【００４６】
ＧＵＩ３００には、登録物品である腕時計Ｘ（３０４）の市場価格「１００００」（３１０）と、その腕時計Ｘ（３０４）に係る検索物品であるサックスＹ（３０６Ａ）の市場価格「１００００」（３１２Ａ）、及び、バイオリンＺ（３０６Ｂ）の市場価格「１０２００」（３１２Ｂ）と、が関連付けて表示されている。
【００４７】
また、ＧＵＩ３００には、複数の検索物品が、カテゴリ「楽器」（３０２）で整理されて表示されている。
【００４８】
また、ＧＵＩ３００には、複数の検索物品の中から、登録者が交換したい物品を選択するためのチェックボックス（３１４Ａ、３１４Ｂ）が表示されている。
【００４９】
登録者は、自分の腕時計Ｘと他人のバイオリンＺを交換したい場合、そのバイオリンＺのチェックボックス（３１４Ｂ）を選択すればよい。このチェックボックスが選択されたとき、腕時計Ｘの市場価格「１００００」とバイオリンＺの市場価格「１０２００」との間の「２００」を、現金又はポイント等で補填するためのＧＵＩ（不図示）が表示されてもよい。
【００５０】
図５は、物々交換支援システム１０における処理の一例を示すフローチャートである。
【００５１】
（Ｓ１００）登録受付手段２００は、ユーザ（登録者）端末１２から、物々交換用の物品（登録物品）の登録要求を受領すると、Ｓ１０２へ進む。
【００５２】
（Ｓ１０２）市場価格算出手段２０２は、その登録要求された物品（登録物品）の市場価格を、ＷＥＢコンテンツ１６等に基づいて算出する。なお、登録受付手段２００は、Ｓ１００で受領した登録要求に含まれる各種情報と、Ｓ１０２で算出された価格情報とを関連付けて、データベース１００に登録してよい。
【００５３】
（Ｓ１０４）検索手段２０４は、データベース１００から、登録物品の市場価格との差分が所定の閾値以下の市場価格を有する物品を検索する。
【００５４】
（Ｓ１０６）表示手段２０６は、登録物品の市場価格と、各検索物品の市場価格とを関連付けたＧＵＩを、登録者の端末１２に表示する。なお、登録者が、表示方法選択手段２０８を通じて、カテゴリを選択すると、表示手段２０６は、その選択されたカテゴリに適合する検索物品のみを表示してもよい。
【００５５】
（Ｓ１０８）物品選択手段２１０が、検索物品の中から交換したい物品が選択されたことを検知すると、Ｓ１１０へ進む。
【００５６】
（Ｓ１１０）補填手段２１４は、登録物品の市場価格と選択物品の市場価格との差分が所定の閾値以上であるか否かを判定する。補填手段２１４は、当該判定の結果が肯定的な場合（ＹＥＳ）、Ｓ１１２へ進み、否定的な場合（ＮＯ）、Ｓ１２０へ進む。
【００５７】
（Ｓ１１２）補填手段２１４は、登録者から、その差分の補填内容を受け付けた後、Ｓ１２０へ進む。
【００５８】
（Ｓ１２０）交換通知手段２１２は、選択物品の所有者へ交換要求を通知する。交換要求には、上述のとおり、登録物品に関する情報や、Ｓ１１２の補填内容等が含まれてよい。
【００５９】
本実施形態によれば、登録物品と市場価格とが関連付けて表示されるので、登録者は、登録物品と市場価格が等価交換に近い他人の物品を、容易に見つけることができる。
また、複数の検索物品をカテゴリ別に整理して表示することができるので、登録者は、交換したい物品を、さらに容易に見つけることができる。
また、登録物品の市場価格と、選択物品の市場価格との差分を補填する手段が提供されるので、登録者は、より多くの他人の物品と交換できるようになる。
【００６０】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６１】
１０…物々交換支援システム  １２…ユーザ端末  ３０…ＣＰＵ  ３２…メモリ  ３４…ＮＩＣ  ３６…記憶ドライブ  １００…データベース  ２００…登録受付手段  ２０２…市場価格算出手段  ２０４…検索手段  ２０６…表示手段  ２０８…表示方法選択手段  ２１０…物品選択手段  ２１２…交換通知手段  ２１４…補填手段
【図１】
0006404206.tif 000002
【図２】
0006404206.tif 000003
【図３】
0006404206.tif 000004
【図４】
0006404206.tif 000005
【図５】
0006404206.tif 000006